(57)【要約】【課題】住宅等の部屋を仕切るとともに、物品を収納でき、しかも省スペースで使い勝手の良い間仕切り収納装置の提供を提供する。【解決手段】間仕切り収納装置３１は、上枠３に配設された上レールと、下枠３３に敷設された下レールと、上レール及び下レールに摺動可能に取付けられ、部屋を仕切る少なくとも一枚の平板状の仕切板３４と、仕切板３４の壁部４７に配設され、物品を収納する可動棚またはハンガーブラケットを、着脱可能であるとともに高さ調節可能に支持する少なくとも一つの支柱３５とを備えるものである。【選択図】　　　　図６
2004019388.tif 000002
【特許請求の範囲】
【請求項１】
住宅等の部屋内の上部または下部に配設されたレールと、
該レールに摺動可能に取付けられ、前記部屋を仕切る少なくとも一枚の平板状の仕切板と、
該仕切板の壁部に配設され、物品を収納する収納部材を、着脱可能であるとともに高さ調節可能に支持する少なくとも一つの支持手段と
を具備することを特徴とする間仕切り収納装置。
【請求項２】
前記仕切板は、前記壁部の上下方向に少なくとも一つ設けられた凹形状の溝部を有し、
前記支持手段は、前記仕切板の前記溝部に埋設され、上下方向に所定の間隔を置いて複数の支持孔を穿設した支柱を有することを特徴とする請求項１に記載の間仕切り収納装置。
【請求項３】
前記仕切板の上面または下面の中央付近に配設され、前記仕切板を前記レールに摺動可能であるとともに水平方向に回動可能に取付けるガイド部材をさらに備えることを特徴とする請求項１または請求項２に記載の間仕切り収納装置。
【請求項４】
前記仕切板は、下端に設けられ奥面にねじ孔が穿設された少なくとも一つの切欠部を有し、
前記ねじ孔に螺合されるねじ部が設けられた回動部材、及び該回動部材に回動可能であるとともに揺動可能に取付けられ前記部屋内の前記下部に当接する当接部材を有するアジャスターをさらに備え、
前記回動部材の回転操作により前記仕切板の下面に対する前記アジャスターの突出長さが変化することを特徴とする請求項１乃至請求項３のいずれか一つに記載の間仕切り収納装置。
【請求項５】
前記仕切板の前記支持手段に着脱可能に取付けられ、前記部屋の前記上部または前記下部に当接する巾木をさらに備えることを特徴とする請求項１乃至請求項４のいずれか一つに記載の間仕切り収納装置。
【発明の詳細な説明】
【０００１】
【発明の属する技術分野】
本発明は、間仕切り収納装置に関するものであり、特に、住宅等の部屋に配設され空間を仕切るとともに、物品を収納することが可能な間仕切り収納装置に関するものである。
【０００２】
【従来の技術】
従来より、住宅等に住む人の家族構成や生活スタイルの変化に応じて、居住空間の構成を柔軟に変化させるために間仕切りが用いられている。間仕切りには、部屋内の天井面や床面に設けられたレールに沿って水平方向に移動する平板状の仕切板を利用したものや、また、同じくレールに沿って移動するもので、接続部材を介して中央で二つに折り畳むことができる折畳式の仕切板を利用したものや、さらには、内部に物品を収納することが可能な収納空間を有する収納ユニットを利用したものなどがある。
【０００３】
【発明が解決しようとする課題】
しかしながら、上記の従来技術は次のような不都合を有していた。仕切板を利用した場合は、単に室内空間を仕切るのみであるため、収納ユニットを利用した場合のように物品を収納することができなかった。また、特に、折畳式の仕切板の場合は、部屋の隅に折り畳んで寄せておく際に、接続部材があるため、中央で二つに折り畳まれる仕切板を隙間なく密着させてまとめることができなかった。
【０００４】
一方、収納ユニットを利用した場合は、移動させるのに手間がかかるという問題があった。また、間仕切りを不要とする場合、置き場所に困るという問題があった。また、前面に開き戸、引き戸、あるいは引き出し等があるため、収納ユニットの前面を、机などを据え付けるための壁面として利用することができなかった。さらに、収納空間が閉ざされており、またサイズが固定されているため、収納空間の構成の自由度が制限され、物品によっては収納することができなかった。
【０００５】
そこで、本発明は上記の実情を鑑み、住宅等の部屋を仕切るとともに、物品を収納でき、しかも省スペースで使い勝手の良い間仕切り収納装置の提供を課題とするものである。
【０００６】
【課題を解決するための手段】
請求項１の発明にかかる間仕切り収納装置は、住宅等の部屋内の上部または下部に配設されたレールと、該レールに摺動可能に取付けられ、前記部屋を仕切る少なくとも一枚の平板状の仕切板と、該仕切板の壁部に配設され、物品を収納する収納部材を、着脱可能であるとともに高さ調節可能に支持する少なくとも一つの支持手段とを備えるものである。
【０００７】
ここで、部屋内の上部としては、天井または鴨居等を挙げることができ、また下部としては、床または敷居等を挙げることができる。さらに、収納部材としては、上面に物品を載置できる平板状の棚や、ハンガーを吊るすことのできる棒状のハンガーブラケットや、物品を吊るすことのできるフック等が挙げられる。
【０００８】
したがって、請求項１の発明の間仕切り収納装置によれば、利用者により、仕切板をレールに沿って移動させることができる。また、物品を収納する収納部材を、仕切板の壁部に配設された少なくとも一つの支持手段に支持させて物品を収納することが可能となる。さらに、支持手段は、収納部材を着脱可能であるとともに高さ調節可能に支持するため、利用者により、収納部材の種類を変えたり、高さを調節することが可能となる。
【０００９】
請求項２の発明にかかる間仕切り収納装置は、請求項１に記載の間仕切り収納装置において、前記仕切板は、前記壁部の上下方向に少なくとも一つ設けられた凹形状の溝部を有し、前記支持手段は、前記仕切板の前記溝部に埋設され、上下方向に所定の間隔を置いて複数の支持孔を穿設した支柱を有するものである。
【００１０】
したがって、請求項２の発明の間仕切り収納装置によれば、請求項１の発明の間仕切り収納装置の作用に加え、仕切板の壁部に溝部が設けられ、その溝部に支柱が埋設されるため、着脱可能な収納部材を取外せば、仕切板の壁部から突出するものがなくなる。
【００１１】
請求項３の発明にかかる間仕切り収納装置は、請求項１または請求項２に記載の間仕切り収納装置において、前記仕切板の上面または下面の中央付近に配設され、前記仕切板を前記レールに摺動可能であるとともに水平方向に回動可能に取付けるガイド部材をさらに備えるものである。
【００１２】
したがって、請求項３の発明の間仕切り収納装置によれば、請求項１または請求項２の発明の間仕切り収納装置の作用に加え、仕切板は、上面または下面の中央付近に配設されたガイド部材を軸として回動する。これにより、仕切板がレールに二枚以上取付けられている場合は、仕切板をレールに対して直交するような状態まで回動させて、対向する仕切板の壁部に配設された支持手段の間に、収納部材の両端を支持させることが可能になる。
【００１３】
請求項４の発明にかかる間仕切り収納装置は、請求項１乃至請求項３のいずれか一つに記載の間仕切り収納装置において、前記仕切板は、下端に設けられ奥面にねじ孔が穿設された少なくとも一つの切欠部を有し、前記ねじ孔に螺合されるねじ部が設けられた回動部材、及び該回動部材に回動可能であるとともに揺動可能に取付けられ前記部屋内の前記下部に当接する当接部材を有するアジャスターをさらに備え、前記回動部材の回転操作により前記仕切板の下面に対する前記アジャスターの突出長さが変化するものである。
【００１４】
したがって、請求項４の発明の間仕切り収納装置によれば、請求項１乃至請求項３のいずれか一つの発明の間仕切り収納装置の作用に加え、仕切板の下端に設けられた切欠部に、回動部材及び当接部材を有するアジャスターが取付けられる。詳しくは、アジャスターの回動部材に設けられたねじ部を、切欠部の奥面に穿設されたねじ孔に螺合することにより取付けられている。そして、回動部材の回転操作により仕切板の下面に対するアジャスターの突出長さが変化する。尚、切欠部を設けることにより、アジャスターを切欠部内に収納して仕切板の下面から突出しないように調節することが可能になる。また、アジャスターは、回動部材と、回動部材に回動可能に取付けられた当接部材とを有する二重構造であるため、当接部材が部屋内の下部に当接したままでも、回動部材を回転操作することにより高さ調節が可能となる。さらに、当接部材は、回動部材に揺動可能に取付けられている。これにより、部屋内の下部に歪みがあっても、歪みに合わせて当接部材が回動部材に対して揺動し、仕切板を固定することが可能となる。
【００１５】
請求項５の発明にかかる間仕切り収納装置は、請求項１乃至請求項４のいずれか一つに記載の間仕切り収納装置において、前記仕切板の前記支持手段に着脱可能に取付けられ、前記部屋の前記上部または前記下部に当接する巾木をさらに備えるものである。
【００１６】
したがって、請求項５の発明の間仕切り収納装置によれば、請求項１乃至請求項４のいずれか一つの発明の間仕切り収納装置の作用に加え、仕切板をレールに沿って並べた際に、巾木を支持手段に取付けることにより、部屋の上部または下部と、仕切板との間にできる隙間を隠すことが可能となる。
【００１７】
【発明の実施の形態】
以下、本発明の第一実施形態である間仕切り収納装置について、図１乃至図５に基づき説明する。図１は本発明の第一実施形態である間仕切り収納装置の構成を示す斜視図であり、図２は間仕切り収納装置の仕切板の構成を示す正面図であり、図３は間仕切り収納装置の仕切板の構成を示す（ａ）仕切状態断面図、（ｂ）回動状態断面図であり、図４は間仕切り収納装置の要部の構成を示す（ａ）断面図、（ｂ）斜視図であり、図５は間仕切り収納装置の仕切板の開位置を示す斜視図である。
【００１８】
本実施形態の間仕切り収納装置１は、図１に示すように、住宅等の部屋２内に配設され、部屋２を仕切るとともに物品を収納する際に利用されるもので、主な構成として、部屋２内に取付けられた上枠３及び側枠４，５と、部屋２を仕切る四枚の仕切板６と、仕切板６に取付けられた方立板７及び可動棚８とを備えている。尚、部屋２の側壁９，１０には、部屋２内に出入りするための戸口Ｔがそれぞれ設けられている。
【００１９】
上枠３は、部屋２内の天井１１に固定して取付けられ、下面に仕切板６を摺動可能に取付けるための上レール１２（図４（ａ）参照）を備えている。上枠３は木材により平板状に形成されており、大きさは、例えば、厚さが３．５ｃｍ、幅が２８ｃｍ、長手方向の長さが３４０ｃｍである。尚、上枠３の長手方向の長さは、間仕切り収納装置１を配設する部屋２の横幅に合わせて決定すればよい。
【００２０】
側枠４，５は、部屋２内の側壁１３，１４にそれぞれ固定して取付けられている。側枠４，５も木材により平板状に形成されており、大きさは、例えば、厚さが３．５ｃｍ、幅が２８ｃｍ、長手方向の長さが２３３ｃｍである。尚、側枠４，５の長手方向の長さは、間仕切り収納装置１を配設する部屋２の高さに合わせて決定すればよい。
【００２１】
仕切板６は、部屋２を仕切るためのものであり、上枠３の上レール１２に摺動可能に吊下げられいる。仕切板６は木材により平板状に形成されており、大きさは、例えば、厚さが２．５ｃｍ、幅が８２．５ｃｍで、長手方向の長さが２３０ｃｍである。また、仕切板６の上面には、図２に示すように、上枠３の上レール１２に対して仕切板６を摺動可能に吊下げるための二つの上吊車１６と、摺動を補助するガイドローラー１７とが設けられている。ガイドローラー１７は、仕切板６に設けられたレバー（図示しない）により操作することで、仕切板６の内部に収納することが可能である。また、仕切板６の側面には、仕切板６を上レール１２に沿って並べた際に、仕切板６間にできる隙間を埋めるために軟質の塩化ビニル樹脂で形成された隙間材１８が設けられている。さらに、仕切板６の中央には、図３（ａ）に示すように、長丁番１５が設けられており、図３（ｂ）に示すように中央で二つに折り畳むことができる。
【００２２】
方立板７は、可動棚８を着脱可能であるとともに高さ調節可能に支持するためのものであり、仕切板６の壁部１９の両端及び中央付近の上下方向に四つ配設されている。方立板７は木材により平板状に形成されており、大きさは、例えば、厚さが２ｃｍ、幅が１２ｃｍ、長手方向の長さが２３０ｃｍである。図４（ｂ）は、方立板７と可動棚８を斜め下方から見た斜視図を示しており、方立板７には、可動棚８を支持する面に支持金具２０を差し込むことのできる直径５ｍｍのダボ孔２１が上下方向に１０ｃｍの間隔を置いて複数穿設されている。ここで、方立板７と支持金具２０とを組合わせたものが本発明の支持手段に相当する。
【００２３】
可動棚８は、上面に物品を載置するためのものであり、向かい合う方立板７の間に着脱可能であるとともに高さ調節可能に支持されている。可動棚８は木材により平板状に形成されており、大きさは、例えば、厚さが２ｃｍ、幅が１５．４ｃｍ、長手方向の長さが３６ｃｍである。可動棚８の裏面の両端には、図４（ｂ）に示すように、方立板７のダボ孔２１に取付けられた支持金具２０の突出部分と嵌合する嵌合部２２が二つずつ設けられている。ここで、可動棚８が本発明の収納部材に相当する。
【００２４】
次に、第一実施形態の間仕切り収納装置１の使用方法について説明する。間仕切り収納装置１は、上レール１２に取付けられた四枚の仕切板６を、部屋２を仕切る状態の閉位置（図１参照）から、開口部Ｏが形成されるような状態の開位置（図５参照）まで移動させることができる。仕切板６を閉位置から開位置まで移動させる場合は、先ず、仕切板６を側枠４，または側枠５にできるだけ近づけ、次にレバーを操作してガイドローラー１７を仕切板６の内部に収納する。さらに、図３（ｂ）に示すように、仕切板６を長丁番１５を介して中央で二つに折り畳むことにより開口部Ｏを形成する。尚、利用者の好みに合わせて、四枚の仕切板６を、側枠４に近い側、あるいは側枠５に近い側のどちらか一方にまとめて開口部Ｏを形成するようにしてもよい。
【００２５】
また、利用者は、仕切板６の壁部１９に取付けられた方立板７及び可動棚８を利用して物品を収納することができる。方立板７に可動棚８を取付ける場合は、方立板７の同じ高さにある四つのダボ孔２１に支持金具２０をそれぞれ挿入し、上方から可動棚８を、支持金具２０の突出部分と嵌合部２２とが嵌合するように組付ける。尚、支持金具２０を挿入するダボ孔２１を変えることにより可動棚８の高さ調節が可能となる。
【００２６】
このように、第一実施形態の間仕切り収納装置１では、上レール１２に取付けられた四枚の仕切板６を、部屋２を仕切る状態の閉位置から、開口部Ｏが形成されるような状態の開位置まで移動させることができる。したがって、利用者の家族構成や生活スタイルの変化に応じて、居住空間の構成を柔軟に変化させることができる。
【００２７】
また、第一実施形態の間仕切り収納装置１では、仕切板６の壁部１９の両端及び中央付近に四つ配設された方立板７に、物品を収納する可動棚８を着脱可能であるとともに高さ調節可能に取付けることが可能となる。したがって、単に部屋２を仕切るのみでなく、必要に応じて物品を収納することができる。さらに、収納する物品に応じて、可動棚８の高さを調節することが可能となり、様々な物品の収納に対応することができる。
【００２８】
続いて、本発明の第二実施形態である間仕切り収納装置について、図６乃至図１５に基づき説明する。図６は本発明の第二実施形態である間仕切り収納装置の構成を示す斜視図であり、図７は間仕切り収納装置の仕切板の構成を示す正面図であり、図８は間仕切り収納装置のアジャスターの構成を説明する（ａ）収納状態説明図、（ｂ）降下状態説明図、（ｃ）揺動状態説明図であり、図９は間仕切り収納装置のエッジ材及び木縁の構成を示す断面図であり、図１０は間仕切り収納装置の支柱の構成を示す（ａ）断面図、（ｂ）正面図であり、図１１は間仕切り収納装置の（ａ）上巾木の構成を示す側面図、（ｂ）下巾木の構成を示す側面図であり、図１２は間仕切り収納装置の構成を示す側面図であり、図１３は間仕切り収納装置の固定棚と仕切板の構成を示す斜視図であり、図１４及び図１５は間仕切り収納装置の使用状態を示す斜視図である。尚、第一実施形態の間仕切り収納装置１と同じ構成については同じ番号を付し詳細な説明を省略する。
【００２９】
本実施形態の間仕切り収納装置３１は、図６に示すように、住宅等の部屋３２内に配設され、部屋３２を仕切るとともに物品を収納する際に利用されるもので、主な構成として、部屋３２内に取付けられた上枠３、下枠３３、及び側枠４，５と、部屋３２を仕切る四枚の仕切板３４と、仕切板３４に取付けられた支柱３５と、仕切板３４の状態に応じて適宜選択されて取付けられる上巾木３６、下巾木３７、可動棚３８，３９，４０、ハンガーブラケット４１，４２、及び固定棚４３，４４（図１４及び図１５参照）とを備えている。
【００３０】
仕切板３４は、上部を天井１１に取付けられた上枠３の上レール１２に、下部を床４５に取付けられた下枠３３の下レール４６（図１５（ｂ）参照）に摺動可能であるとともに水平方向に回動可能に取付けられている。また仕切板３４は、図７に示すように、壁部４７中央の上下方向に設けられた凹形状の溝部４８と、下端に設けられた二つの切欠部４９と、壁部４７に設けられた四つの固定用螺子孔５０とを備えている。仕切板３４は木材により平板状に形成されており、大きさは、例えば、厚さが４．２ｃｍ、幅が５８ｃｍ、長手方向の長さが２３０ｃｍである。尚、仕切板３４の壁部４７及び側面はメラミン化粧板により外観が整えられている。
【００３１】
仕切板３４の上面の中央には、上枠３の上レール１２に対して仕切板３４を摺動可能であるとともに水平方向に回動可能に吊下げるための上吊車５１が設けられており、また、仕切板３４の下面の中央には、下枠３３の下レール４６に対して仕切板３４を摺動可能であるとともに水平方向に回動可能に取付けるための下ガイドローラー５２が設けられている。すなわち、仕切板３４は、上吊車５１及び下ガイドローラー５２を軸として水平方向に回動することができる。ここで、上吊車５１及び下ガイドローラー５２が本発明のガイド部材に相当する。
【００３２】
仕切板３４の切欠部４９には、図８（ａ）に示すように、奥面５３に螺子孔５４が穿設されており、その螺子孔５４にアジャスター５５が取付けられている。アジャスター５５は、螺子孔５４に螺合される螺子部５６が設けられた回動部材５７と、回動部材５７に回動可能であるとともに揺動可能に取付けられ床４５に当接する当接部材５８とを備えている。またアジャスター５５は、図８（ｂ）に示すように、回動部材５７を回転操作することにより、仕切板３４の下面５９に対する突出長さを変化させることができる。またアジャスター５５は、図８（ｃ）に示すように、当接部材５８が回動部材５７に揺動可能に取付けられているために、接地面に対する約１０゜程度の首振りが可能となっている。
【００３３】
仕切板３４の片側の側面には、図９に示すように、ＡＢＳ樹脂で形成され緩衝材６０を有するエッジ材６１が取付けられている。また仕切板３４のもう一方の側面には木材により形成された木縁６２が取付けられている。これは、仕切板３４を上レール１２及び下レール４６に沿って並べた際に、隣り合う仕切板３４の間にできる隙間を埋めるために取付けられたものである。
【００３４】
仕切板３４の溝部４８には、図１０（ａ）に示すように、コの字形に形成された支柱３５が壁部４７の平面から突出することなく埋設されている。支柱３５は、可動棚３８，３９，４０、ハンガーブラケット４１，４２、上巾木３６、または下巾木３７を適宜選択して取付けるためのもので、図１０（ｂ）に示すように、正面に上下方向に沿って所定の間隔を置いて支持孔６３を備えている。支柱３５の長手方向の長さは、例えば、２２０ｃｍである。
【００３５】
上巾木３６は、仕切板３４を上レール１２及び下レール４６に沿って並べた際に、支柱３５に取付けて仕切板３４と上枠３との間にできる隙間を隠すためのものであり、図１１（ａ）に示すように、樹脂製の縁部材６４と、支柱３５の支持孔６３に取付けるための取付金具６５とを備えている。また、下巾木３７は、仕切板３４を上レール１２及び下レール４６に沿って並べた際に、支柱３５に取付けて仕切板３４と下枠３３との間にできる隙間を隠すためのものであり、図１１（ｂ）に示すように、上巾木３６と同様、縁部材６４と取付金具６５とを備えている。上巾木３６及び下巾木３７は、取付金具６５を支持孔６３に挿入するとともに下方に押し込むことで支柱３５に取付けることができる。
【００３６】
支柱３５に取付けられる可動棚３８，３９，４０は、物品を上面に載置して収納するものであり、同じく支柱３５に取付けられるハンガーブラケット４１，４２は、ハンガーを吊るして衣類などを収納するもので、いずれも図１２に示すような挿入部６６を備えている。可動棚３８，３９，４０またはハンガーブラケット４１，４２は、挿入部６６を支持孔６３に挿入するとともに下方に押し込むことで支柱３５に取付けることができる。また、固定棚４３，４４は、仕切板３４を上レール１２及び下レール４６に対して直交するような状態にした際に、向かい合う仕切板３４の間に取付け、上面に物品を載置して収納するとともに、仕切板３４の水平方向への回動、及び仕切板３４のレール方向への摺動を抑制するためのものである。図１３は、仕切板３４と固定棚４３とを斜め下方から見た斜視図を示しており、固定棚４３の裏面の両端には仕切板３４の固定用螺子孔５０にねじ込まれた結合ボルト６７の突出部分と嵌合する樹脂製のボルト受け用ケーシング６８が二つずつ取付けられている。ここで、可動棚３８，３９，４０，ハンガーブラケット４１，４２，及び固定棚４３，４４が本発明の収納部材に相当する。
【００３７】
次に、第二実施形態の間仕切り収納装置３１の使用方法について説明する。間仕切り収納装置３１は、利用者の生活スタイルや家族構成に応じて様々な形態に変化させて使用することができる。部屋３２を単に二つに仕切る場合は、図６に示すように、仕切板３４を上レール１２及び下レール４６に沿って並べ、アジャスター５５を降下させて下枠３３に当接させることにより、仕切板３４の位置を固定する。この際、アジャスター５５の当接部材５８よりピン（図示しない）を降下させて下レール４６に取付けるようにしてもよい。そして、上巾木３６及び下巾木３７を支柱３５に取付けて仕切板３４と上枠３または下枠３３との間にできる隙間を隠して外観を整える。
【００３８】
また、部屋３２を二つに仕切った上で物品の収納を行う場合は、図１４（ａ）に示すように、仕切板３４に取付けられた支柱３５を利用して、可動棚３８またはハンガーブラケット４１を取付けることにより行う。尚、挿入部６６を挿入する支持孔６３を変えることにより、可動棚３８またはハンガーブラケット４１の高さ調節が可能になる。
【００３９】
また、図１４（ｂ）に示すように、仕切板３４を上レール１２及び下レール４６に対して直交するように回動させて、隣り合う仕切板３４の壁部４７が向かい合うような状態にすることにより、仕切板３４を可動棚３９，ハンガーブラケット４２，及び固定棚４３を支持する側板として利用することもできる。この際、固定棚４３により、仕切板３４の水平方向への回動、及び仕切板３４のレール方向への摺動が抑制される。また、下レール４６にストッパー（図示しない）を取付けることにより仕切板３４のレール方向への摺動を確実に防止できる。尚、この場合も挿入部６６を挿入する支持孔６３を変えることにより、可動棚３９またはハンガーブラケット４２の高さ調節が可能となる。
【００４０】
また、図１５（ａ）に示すように、仕切板３４にデスク６９を据え付け、可動棚３８をデスク６９上の本棚として利用してもよい。この際、デスク６９のサイズに合わせて仕切板３４の配置を決定する。
【００４１】
さらに、間仕切りを不要とする場合は、図１５（ｂ）に示すように、四枚の仕切板３４を側枠４付近に密着させてまとめておく。この場合は、仕切板３４に支持されている可動棚３８，３９，４０，ハンガーブラケット４１，４２，または固定棚４３，４４などは全て取外す。また、側枠４に一番近い仕切板３４を上レール１２及び下レール４６に対して直交するような状態に回動させて、壁部４７と側壁１３とが向かい合うような状態にする。さらに、側枠４に近い方の仕切板３４から順に、仕切板３４を側枠４にできるだけ近づけてから同様の操作をすることにより、図１５（ｂ）に示すような、間仕切りを不要とし仕切板３４を部屋３２の隅によせてまとめておく状態の開位置に移動させることができる。尚、開位置においては、下レール４６にパッキンを落とし込むことによりバリアフリーに対応させることができる。
【００４２】
このように、第二実施形態の間仕切り収納装置３１では、利用者により、上レール１２及び下レール４６に取付けられた仕切板３４を、部屋３２を仕切る状態の閉位置と、仕切りを不要とし部屋３２の隅に寄せてまとめておく状態の開位置との間で移動させることが可能となる。したがって、仕切板３４を様々な状態に変化させることが可能になり、利用者の家族構成や生活スタイルの変化に応じて、居住空間の構成を柔軟に変化させることができる。
【００４３】
また、第二実施形態の間仕切り収納装置３１では、仕切板３４が部屋を仕切る状態の閉位置においては、仕切板３４の壁部４７に配設された支柱３５に、物品を収納する可動棚３８またはハンガーを掛けるハンガーブラケット４１を着脱可能であるとともに高さ調節可能に取付けることが可能となる。したがって、単に部屋３２を仕切るのみでなく、必要に応じて物品を収納することができる。さらに、収納する物品に応じて、可動棚３８またはハンガーブラケット４１などを選択したり、可動棚３８またはハンガーブラケット４１の高さを調節したりすることが可能となり、様々な物品の収納に対応することができる。
【００４４】
第二実施形態の間仕切り収納装置３１では、仕切板３４の壁部４７に凹形状の溝部４８が設けられ、その溝部４８に支柱３５が仕切板３４の壁部４７から突出することなく配設されているため、着脱可能な可動棚３８またはハンガーブラケット４１を取外した場合に、仕切板３４の壁部４７から突出するものがなくなる。したがって、物品を収納する必要がない場合は、可動棚３８またはハンガーブラケット４１を取外すことにより、収納ユニットを利用した場合などに比べ、間仕切り収納装置３１全体の占有面積を少なくすることができる。また、仕切りを不要とし仕切板３４を部屋の隅に寄せてまとめておく状態の開位置では、仕切板３４をデットスペースを作ることなく重ねてまとめることができる。
【００４５】
第二実施形態の間仕切り収納装置３１では、仕切板３４は、上面の中央に設けられた上吊車５１と下面の中央に設けられた下ガイドローラー５２とを軸として回動できるため、仕切板３４を上レール１２及び下レール４６に対して直交するような状態まで回動させて、対向する仕切板３４の壁部４７に配設された支柱３５の間に、可動棚３９，４０，ハンガーブラケット４４、または固定棚４３，４４を支持させることが可能になる。したがって、収納する物品に応じて、仕切板３４を回動させて向かい合うような状態にして、仕切板３４の間に可動棚３９，４０，ハンガーブラケット４４，及び固定棚４３，４４を支持するような構成が可能となり、様々な物品の収納に対応することができる。
【００４６】
第二実施形態の間仕切り収納装置３１では、アジャスター５５が仕切板３４の切欠部４９に取付けられ、回動部材５７の回転操作により仕切板３４の下面５９に対するアジャスター５５の突出長さが変化し、また、当接部材５８は、回動部材５７に回動可能であるとともに揺動可能に取付けられている。したがって、当接部材５８が床４５等に当接したままでも、回動部材５７を回転操作することによりアジャスター５５の高さ調節が可能になり、利便性を高めることができる。また、部屋３２の床４５等に歪みがあっても確実に仕切板３４を固定することができるため、安定性を高めることができる。
【００４７】
さらに、第二実施形態の間仕切り収納装置３１では、仕切板３４を上レール１２及び下レール４６に沿って並べた際に、上巾木３６及び下巾木３７を支柱３５に取付けることにより、部屋３２の上枠３及び下枠３３と、仕切板３４との間にできる隙間を隠すことが可能となる。したがって、外観を整えることができる。
【００４８】
以上、本発明について好適な二つの実施形態を挙げて説明したが、本発明はこれらの実施形態に限定されるものではなく、以下に示すように、本発明の要旨を逸脱しない範囲において、種々の改良及び設計の変更が可能である。
【００４９】
すなわち、第一及び第二実施形態の間仕切り収納装置１，３１では、四枚の仕切板６，３４を取付けたものを示したが、取付ける仕切板６，３４の枚数はこれに特に限定されるものではなく、間仕切り収納装置１，３１を配設する部屋の大きさや、利用者の好みに応じて適宜設定することができる。
【００５０】
また、第二実施形態の間仕切り収納装置３１では、壁部４７の中央の上下方向に一本だけ支柱３５を配設するものを示したが、これに特に限定されるものではなく、複数の支柱３５を配設するようにしてもよい。例えば、壁部４７の両端の上下方向に溝部４８を設けて支柱３５を配設した場合に、一枚の仕切板３４単独で棚やハンガーブラケットを支持することが可能になる。
【００５１】
【発明の効果】
以上のように、請求項１の発明の間仕切り収納装置は、単に部屋を仕切るのみでなく、必要に応じて物品を収納することができる。さらに、収納する物品に応じて、収納部材の種類を選択したり、収納部材の高さを調節したりすることが可能となり、様々な物品の収納に対応することができる。
【００５２】
請求項２の発明の間仕切り収納装置は、請求項１の発明の間仕切り収納装置の効果に加えて、仕切板の壁部から突出する部分がないため、物品を収納する必要がない場合は、収納部材を取外すことにより、収納ユニットを利用した場合などに比べ、居住空間における間仕切り収納装置全体の占有面積を少なくすることができる。
【００５３】
請求項３の発明の間仕切り収納装置は、請求項１または請求項２の発明の間仕切り収納装置の効果に加えて、収納する物品に応じて、仕切板を回動させて向かい合うような状態にして、仕切板を側板として利用し、その間に収納部材を支持するような構成が可能となり、様々な物品の収納に対応することができる。
【００５４】
請求項４の発明の間仕切り収納装置は、請求項１乃至請求項３のいずれか一つの発明の間仕切り収納装置の効果に加えて、当接部材が部屋内の下部に当接したままでも、回動部材を回転操作することによりアジャスターの高さ調節が可能になり、利便性を高めることができる。また、部屋内の下部に歪みがあっても確実に仕切板を固定することができるため、安定性を高めることができる。
【００５５】
請求項５の発明の間仕切り収納装置は、請求項１乃至請求項４のいずれか一つの発明の間仕切り収納装置の効果に加えて、仕切板をレールに沿って並べた際に、部屋の上部または下部と仕切板との間にできる隙間を隠すことができ、外観を整えることができる。
【図面の簡単な説明】
【図１】本発明の第一実施形態である間仕切り収納装置の構成を示す斜視図である。
【図２】本発明の第一実施形態である間仕切り収納装置の仕切板の構成を示す正面図である。
【図３】本発明の第一実施形態である間仕切り収納装置の仕切板の構成を示す（ａ）仕切状態断面図、（ｂ）回動状態断面図である。
【図４】本発明の第一実施形態である間仕切り収納装置の（ａ）上レールと仕切板との構成を示す断面図、（ｂ）可動棚と方立板との構成を示す斜視図である。
【図５】本発明の第一実施形態である間仕切り収納装置の仕切板の開位置を示す斜視図である。
【図６】本発明の第二実施形態である間仕切り収納装置の構成を示す斜視図である。
【図７】本発明の第二実施形態である間仕切り収納装置の仕切板の構成を示す正面図である。
【図８】本発明の第二実施形態である間仕切り収納装置のアジャスターの構成を説明する（ａ）収納状態説明図、（ｂ）降下状態説明図、（ｃ）揺動状態説明図である。
【図９】本発明の第二実施形態である間仕切り収納装置のエッジ材及び木縁の構成を示す断面図である。
【図１０】本発明の第二実施形態である間仕切り収納装置の支柱の構成を示す（ａ）断面図、（ｂ）正面図である。
【図１１】本発明の第二実施形態である間仕切り収納装置の（ａ）上巾木の構成を示す側面図、（ｂ）下巾木の構成を示す側面図である。
【図１２】本発明の第二実施形態である間仕切り収納装置の可動棚の構成を示す側面図である。
【図１３】本発明の第二実施形態である間仕切り収納装置の固定棚と仕切板の構成を示す斜視図である。
【図１４】本発明の第二実施形態である間仕切り収納装置の使用状態の一例を示す（ａ）斜視図、（ｂ）斜視図である。
【図１５】本発明の第二実施形態である間仕切り収納装置の使用状態の一例を示す（ａ）斜視図、（ｂ）斜視図である。
【符号の説明】
１，３１　間仕切り収納装置
２，３２　部屋
６，３４　仕切板
７　方立板（支持手段）
８　可動棚（収納部材）
１２　上レール
１９，４７　壁部
２０　支持金具（支持手段）
３５　支柱（支持手段）
３６　上巾木
３７　下巾木
３８，３９，４０　可動棚（収納部材）
４１，４２　ハンガーブラケット（収納部材）
４３，４４　固定棚（収納部材）
４６　下レール
４８　溝部
４９　切欠部
５１　上吊車（ガイド部材）
５２　下ガイドローラー（ガイド部材）
５４　螺子孔
５５　アジャスター
５６　螺子部
５７　回動部材
５８　当接部材
６３　支持孔
【図１】
2004019388.tif 000003
【図２】
2004019388.tif 000004
【図３】
2004019388.tif 000005
【図４】
2004019388.tif 000006
【図５】
2004019388.tif 000007
【図６】
2004019388.tif 000008
【図７】
2004019388.tif 000009
【図８】
2004019388.tif 000010
【図９】
2004019388.tif 000011
【図１０】
2004019388.tif 000012
【図１１】
2004019388.tif 000013
【図１２】
2004019388.tif 000014
【図１３】
2004019388.tif 000015
【図１４】
2004019388.tif 000016
【図１５】
2004019388.tif 000017